(57)【要約】【課題】  本発明は、水道管、給水管各種形状の管継手の内部を水が効率良く流れて、マイナスイオン及び遠赤外線放射物質の効果で水質浄化し、管本体の老化を防止し、さびが発生せず、水道管路の圧力損失を伴うことなく、常に安全な水を供給できる水道管、給水管、各種形状の管継手を提供する。【解決手段】  水道管、給水管、各種形状の管継手等の管材本体と、この管材本体の内側面あるいは全体に形成された、遠赤外線効果やマイナスイオン効果を有する天然鉱石、商品名（ミラクルストーン）や天然鉱石、商品名（知恵貴石・白、知恵貴石・緑）や花崗岩等の粉末や炭粒粉等の混合物を混合した混合層、モルタル層とで水道管、給水管、各種形状の管継手の管材で一連の配管を構成する事でより一層の水質浄化を特徴とする。【選択図】図１
2008051331.tif 000002
【特許請求の範囲】
【請求項１】
水道管や給水管又は各種形状の管継手等の管材本体と、この管材本体の内側面に形成された、遠赤外線効果のある天然鉱石、商品名（ミラクルストーン）等やマイナスオン効果を有するトルマリン鉱石を除いた国産のマイナスイオン鉱石、商品名（知恵貴石・白、知恵貴石・緑）やゼオライト、花崗岩、滑石等の窯土類の粉石、粉末、炭粉粒等の混合物を混合した混合層とからなることを特徴とする水道管、給水管、各種形状の管継手等の管材。
【請求項２】
前記混合層は、遠赤外線効果やマイナスイオン効果を有する天然鉱石、商品名（ミラクルストーン）等やマイナスイオン効果を有する商品名（知恵貴石・白、知恵貴石・緑）や花崗岩等の粉末や炭粒粉等の混合物を混合したモルタル層および樹脂層で有ることを特徴とする請求項１に記載の水道管、給水管、各種形状の管継手等の管材。
【請求項３】
前記混合層は、遠赤外線効果のある鉱石やマイナスイオン効果を有する天然鉱石、商品名（ミラクルストーン）やマイナスイオン効果を有する商品名（知恵貴石・白、知恵貴石・緑）や花崗岩等の粉末や炭粒粉等の混合物を混合したモルタル層であることを特徴とする請求項１〜２に記載の水道管、給水管、各種形状の管継手等の管材。
【請求項４】
前記混合層は、遠赤外線効果のある鉱石やマイナスイオン効果を有する天然鉱石、商品名（ミラクルストーン）やマイナスイオン効果を有する商品名（知恵貴石・白、知恵貴石・緑）や花崗岩等の粉末や炭粒粉等の混合物を混合した樹脂層であることを特徴とする請求項１〜２に記載の水道管、給水管、各種形状の管継手等の管材。
【請求項５】
水道管や給水管、各種形状の管継手等の管材本体と、この管材本体の成形時に混合する、遠赤外線効果やマイナスイオン効果を有する商品名（知恵貴石・白、知恵貴石・緑）や花崗岩等の粉末や炭粒粉等の混合物となることを特徴とする水道管、給水管、各種形状の管継手等の管材。
【請求項６】
鋳鉄製の水道管、各種形状の管継手の内側のモルタル層及び樹脂被膜層にマイナスイオン商品名（知恵貴石・白、知恵貴石・緑）や及び４〜１４ミクロンの遠赤外線物質の天然鉱石商品名（ミラクルストーン）花崗岩、滑石等の窒土類の岩石の微粉末や炭粒粉等の混合物を混合成形した水道管、各種形状の管継手。
【請求項７】
樹脂製の水道管、給水管、各種形状の管継手の管材に、マイナスイオン商品名（知恵貴石・白、知恵貴石・緑）や及び４〜１４ミクロンの遠赤外線物質の天然鉱石商品名（ミラクルストーン）花崗岩、滑石等の窒土類の岩石の微粉末や炭粒粉等の混合物を混合成形した水道管、給水管、各種形状の管継手。
【請求項８】
水道管や給水管，各種形状の管継手等で一連の配管を構成し、水質の浄化をする請求項１〜７記載の水道管、給水管，各種形状の管継手。
【発明の詳細な説明】
【技術分野】
【０００１】  本発明は、水質浄化できる水道管や給水管並びに各種管継手等の管材に関する。
【背景技術】
【０００２】  従来の水道管等や給水管のあるいは各種管継手等の管材は、水道管又は管継手の内側に樹脂層をなし、又、樹脂製の給水管又は樹脂製の管継手では水道管の錆等は殆ど解消されたが、水質浄化のための工夫はなされておらず、最近悪化の一途をたどる水質汚染に対し塩素の量を増やしたり、消毒殺菌に重点をおいた対策のため、残留塩素が問題になり、その塩素から発がん性物質であるトリハロメタンが生成される等の社会問題に発展している。人々はいろいろの市販の浄水器や浄水装置、磁気を使用した機器、又はスーパー等で安全な水を購入しているのが現状である。又浄水器、浄水装置は１年ごとにカートリッジの交換をしなければならないため、使用者側としては多大なコストがかかる。【０００３】  したがって、従来の水道管や給水管、各種管継手等の管材は、管材の内側が樹脂層で形成されており、錆は大分改善されたが、水道水の消毒のための塩素の除去、臭気等は以前解決されず、飲料水として使用されており、水質浄化をする方法は何もなされてなく、使用者側が多大のコストをかけて浄水器や浄水装置を設置するしかなく、飲料水を購入したりしている、又、浄水器、浄水装置の取り取り付けは作業が困難であるという欠点もあった。
【特許文献１】  特開平１０−３１４７５１号公報
【特許文献２】  特開２００２−２８２８６４号公報
【特許文献３】  特開２００５−０６１６０５号公報
【特許文献４】  特開平１１−０８２８６８号公報
【発明の開示】
【発明が解決しようとする課題】
【０００４】  本発明は以上のような従来の欠点に鑑み、水道管、給水管、各種管継手等が一体でマイナスイオン効果と遠赤外線効果により、効率良く水質を浄化し、水道水に含有されている塩素、臭気を除去し、塩素から発ガン物質トリハロメタンの生成を防ぎ、水道管、各種管継手の管材の劣化を防止することができ、水道管路の圧力を伴うことなく、しかも広い範囲の流速域で使用することができる水道管、給水管、各種管継手等を提供することを目的としている。
本発明は、以上の問題点を解決するためのものである。
【課題を解決するための手段】
【０００５】  そして、本発明は上記目的を達成するために、水道管、各種管継手の管材本体とこの管材本体の内側面に形成された、遠赤外線効果やマイナスイオン効果を有する天然鉱石、商品名（ミラクルストーン）等やマイナスイオン効果を有する商品名（知恵貴石・白、知恵貴石・緑）等や花崗岩、滑石等窒土類の岩石の粉末や炭粒粉等の混合物を混合したモルタル層および樹脂層、又は樹脂製の給水管、各種管継手の管材本体に形成された遠赤外線効果やマイナスイオン効果を有する天然鉱石、商品名（ミラクルストーン）等やマイナスイオン効果を有する商品名（知恵貴石・白、知恵貴石・緑）等や花崗岩、滑石等、窒土類の岩石の粉末や炭粒粉等の混合物を混合した樹脂製の給水管，管継手等で管材本体を構成している。
【発明の効果】
【０００６】  以下の説明から明らかなように、本発明にあっては次に列挙する効果が得られる。【０００７】  （１）  鋳鉄管の水道管、給水管、各種管継手等の管材本体と、この管材本体の内側面に形成された、遠赤外線効果やマイナスイオン効果を有する天然鉱石、商品名（ミラクルストーン）等やマイナスイオン効果を有する商品名（知恵貴石・白、知恵貴石・緑）等や花崗岩、滑石等、窒土類の岩石の粉末や炭粒粉等の混合物を混合した混合層で構成されているので、効率良く管材内を流れる水を活性化できる。したがって、各家庭で塩素、臭気のない安全な水を、どの場所の蛇口をひねっても何時何処でも供給することができる。【０００８】  （２）  樹脂製の給水管、各種管継手等の管材本体と、この管材本体全体が樹脂で構成されているため、遠赤外線効果やマイナスイオン効果を有する天然鉱石、商品名（ミラクルストーン）等やマイナスイオン効果を有する商品名（知恵貴石・白、知恵貴石・緑）等や花崗岩、滑石等、窒土類の岩石の粉末や炭粒粉等の混合物を混合した混合層で構成されているので、効率良く管材内を流れる水を活性化できる。したがって、各家庭で塩素、臭気のない安全な水を、どの場所の蛇口をひねっても何時何処でも供給することができる。【０００９】  （３）  前記（１）、（２）によって、管材本体の内壁には樹脂による混合層、あるいは全て樹脂で形成されているため、赤錆等の発生を容易に防止することができる。【００１０】  （４）  前記（１）、（２）によって、従来と同様に施工でき、使用することが出来るので圧力損失が極めて少なく、広い範囲の流速域で使用することが出来る。【００１１】  （５）  前記（１）、（２）によって、既存の製造設備を持って製造が可能であり、何ら特殊の装置又は機械を増設しなくても製造可能のため、新たに大きな設備投資は不要であり、効果は計りしれない。【００１２】  本発明は、各家庭で安全な健康増進に役立つ水を、どの場所の蛇口をひねっても、いつでもどこでも供給できるように、水道管そのものを遠赤外線効果の特に強い鉱石や、マイナスイオン放出効果を強力に引き出し、水を瞬時に浄化する効果のある水道管、各種管継手である。マイナスイオンを発生する鉱石は、水に接触すると瞬時に電機分解を起こし大量の静電気であるマイナスイオンを放出し、更に４〜１４ミクロンの遠赤外線効果により水の分子を細分化し，人間の血液にとって健康上ベストとされるＰＨ７．５弱のアルカリ水を精製し、塩素を吸着分解するので、この方法で処理された水道水は健康に寄与する。
更に本発明の水道管を通過した水は、飲料水は無論のこと、日常の生活用水全般についても自然に優しい無害な水を給水できる効果を期待できる。
【発明を実施するための最良の形態】
【００１３】  以下、本発明の実施の形態を説明する。
上水道管（１）又は各種形状の管継手（２）の内側にモルタル層（３）、樹脂被膜層（４）にマイナスイオン効果及び４〜１４ミクロンの遠赤外線放射物質とマイナスイオンを発生する天然鉱石、花崗岩、滑石等の窒土類の岩石の粉末、及び炭粒粉を混ぜ合わせ混合物を、管の内側に樹脂被膜層をコーテイングする。また、樹脂製の上水道管、各種形状の管継手（２）にもマイナスイオン及び遠赤外線放射物質とマイナスイオンを発生する鉱石の花崗岩、滑石等の窒土類の粉石、粉末及び炭粒粉の微粉末等を混合成形した水質浄化できる上水道管、給水管と各種形状の管継手である。
本発明は、以上の構成よりなっている。
【産業上の利用可能性】
【０００７】  本発明は、水道管、給水管や各種形状の管継手等の管材を製造する製造業者、使用する施工業者等の産業等で多いに利用される。
【図面の簡単な説明】
【０００８】
【図１】本発明の水道管の正面図。
【図２】本発明のＡ−Ａの断面図。
【図３】本発明のＢ−Ｂ線の断面図。
【図４】本発明の水道管の他の実施例の一部断面図。
【図５】本発明の水道管の他の実施例の一部断面図。
【図６】本発明の他の給水管の実施例の一部断面図。
【図７】本発明の管継手の正面図。
【図８】本発明の管継手の左側面図。
【図９】本発明の管継手の他の実施例の一部断面図。
【図１０】本発明の管継手の他の実施例の一部断面図。
【図１１】本発明の管継手の他の左側面図。
【符号の説明】
【０００９】１、水道管，給水管
２、管継手
３、モルタル層
４、樹脂被膜層
５、混合物
６、混合層
【図１】
2008051331.tif 000003
【図２】
2008051331.tif 000004
【図３】
2008051331.tif 000005
【図４】
2008051331.tif 000006
【図５】
2008051331.tif 000007
【図６】
2008051331.tif 000008
【図７】
2008051331.tif 000009
【図８】
2008051331.tif 000010
【図９】
2008051331.tif 000011
【図１０】
2008051331.tif 000012
【図１１】
2008051331.tif 000013